(57)【要約】【課題】  安価なカラー・エリアＣＣＤを用いて高画質な画像を短時間で生成する。【解決手段】  複数の画素が二次元状に配列され、画素ごとに赤、緑、青の３原色のうちのいずれかの色のフィルターを有する光電変換手段と、赤、緑、青の３原色の光源により読み取り原稿を照明する照明手段とを用い、照明手段の赤色光源を点灯して読み取り原稿を照明したときの光電変換手段の赤色フィルター画素の出力と、照明手段の緑色光源を点灯して読み取り原稿を照明したときの光電変換手段の緑色フィルター画素の出力と、照明手段の青色光源を点灯して読み取り原稿を照明したときの光電変換手段の青色フィルター画素の出力とを合成して１枚の画像を生成する。【選択図】  図９
2006109240.tif 000002
【特許請求の範囲】
【請求項１】
複数の画素が二次元状に配列され、画素ごとに赤、緑、青の３原色のうちのいずれかの色のフィルターを有する光電変換手段と、
赤、緑、青の３原色の光源により読み取り原稿を照明する照明手段と、
前記照明手段により照明された読み取り原稿からの光を前記光電変換手段へ導き、前記光電変換手段上に画像を結像させる光学系と、
前記光電変換手段の画素の出力に基づいて画像を生成する画像生成手段とを備え、
前記画像生成手段は、前記照明手段の赤色光源を点灯して読み取り原稿を照明したときの前記光電変換手段の赤色フィルター画素の出力と、前記照明手段の緑色光源を点灯して読み取り原稿を照明したときの前記光電変換手段の緑色フィルター画素の出力と、前記照明手段の青色光源を点灯して読み取り原稿を照明したときの前記光電変換手段の青色フィルター画素の出力とを合成して１枚の画像を生成する（以下、第１の画像生成方法という）ことを特徴とする画像入力装置。
【請求項２】
請求項１に記載の画像入力装置において、
前記画像生成手段は、前記照明手段の赤、緑、青の３原色の光源を同時に点灯して読み取り原稿を照明したときの前記光電変換手段のすべての画素の出力に基づいて１枚の画像を生成する（以下、第２の画像生成方法という）ことができ、
読み取り原稿がネガフィルムの場合は前記第１の画像生成方法により画像を生成し、読み取り原稿がポジフィルムの場合は前記第２の画像生成方法により画像を生成することを特徴とする画像入力装置。
【請求項３】
請求項１に記載の画像入力装置において、
前記画像生成手段は、前記照明手段の赤、緑、青の３原色の光源を同時に点灯して前記読み取り原稿を照明したときの前記光電変換手段のすべての画素の出力に基づいて１枚の画像を生成する（以下、第２の画像生成方法という）ことができ、
画像の正式な読み取りを行う場合は前記第１の画像生成方法により画像を生成し、画像の予備的な読み取りを行う場合は前記第２の画像生成方法により画像を生成することを特徴とする画像入力装置。
【発明の詳細な説明】
【技術分野】
【０００１】
本発明は、フィルムなどの透過原稿上の画像情報を読み取る画像入力装置に関する。
【背景技術】
【０００２】
フィルムなどの透過原稿上の画像を読み取るフィルムスキャナー、フラットベットスキャナーなどが知られている（例えば、特許文献１参照）。
これらのスキャナーでは、照明用光源を用いてフィルムを照明し、投影レンズにより複数の画素（光電変換素子）を１直線状に並べたラインＣＣＤ上にフィルム透過光を結像させて１ライン分の画像を読み取る。１ライン分の画像読み取り後、フィルムと光学系を相対的に１ライン分移動して次の１ライン分の読み取りを行う。このような読み取り動作をラインごとに繰り返すことによって、１画面分の画像を読み取っている。
赤Ｒ、緑Ｇおよび青Ｂの３原色の照明用光源とモノクロのラインＣＣＤとを用いたスキャナーでは、ラインごとに照明用光源の色をＲＧＢの３原色に切り換えて３回ずつ読み取りを行う。一方、白色光の照明用光源と、赤色フィルターのラインＣＣＤ、緑色フィルターのラインＣＣＤおよび青色フィルターのラインＣＣＤの３本のラインＣＣＤを平行に並べたＲＧＢラインＣＣＤを用いたスキャナーでは、ラインごとの各色ラインＣＣＤの読み取り結果に基づいて色分解を行っている。
【０００３】
この出願の発明に関連する先行技術文献としては次のものがある。
【特許文献１】特開２００４−０３２２７０号公報
【発明の開示】
【発明が解決しようとする課題】
【０００４】
しかしながら、スキャナーによるフィルム画像の読み取りは、高画質な画像を読み取ることができるが、１画面の画像を読み取るのに上述したラインごとの読み取り動作を数千回繰り返すので、速いものでも数十秒の読み取り時間がかかるという問題がある。
そこで、複数の画素（光電変換素子）を二次元状に配列したモノクロのエリアＣＣＤを用い、１画面に対し照明用光源の色をＲＧＢの３原色に切り換えて３回の画像読み取りを行うことが考えられるが、モノクロのエリアＣＣＤは技術的には製作可能であっても、需要が限られるために相当高価になってしまう。
【０００５】
ところで、デジタルカメラには、赤Ｒ、緑Ｇ、青Ｂいずれかのカラーフィルターを有する複数の画素（光電変換素子）を二次元状にベイヤー配列したカラーのエリアＣＣＤが数多く用いられており、安価に入手することができる。このカラー・エリアＣＣＤをフィルムなどの透過原稿上の画像を読み取る画像入力装置に用いることができれば、従来のスキャナーに比べて画像の読み取り時間を大幅に短縮しながら、装置を安価に構成できる利点がある。
【０００６】
しかし、デジタルカメラなどに一般的に用いられているカラー・エリアＣＣＤを用いて透過原稿上の画像を読み取る場合には、画質面において次のような問題がある。
【０００７】
図２は、デジタルカメラなどに一般的に用いられているベイヤー配列型エリアＣＣＤのＲＧＢフィルターの分光感度を示す。図２において、横軸は波長［ｎｍ］、縦軸は相対感度を表す。エリアＣＣＤのフィルターの分光感度はかなり広く、各色どうしのすそ野の重なりも大きい。したがって、ある色の光が入ってきたときに、その色のフィルターの画素部から出力が出るだけでなく、他の色のフィルターの画素部からも出力が出てしまう。
【０００８】
図３はＲ、Ｇ、Ｂ３原色のＬＥＤ照明光源の分光特性を示す。図３において、横軸は波長［ｎｍ］、縦軸は相対強度を表す。ＬＥＤの照明光源は狭い帯域の分光特性を示す。
【０００９】
ここで、ある色のＬＥＤ照明光源を点灯して照明した場合のカラー・エリアＣＣＤの出力は、図３に示すＬＥＤの分光特性と図２に示すエリアＣＣＤの分光感度との積の積分値（面積）として算出することができる。
【００１０】
図４は、Ｒ-ＬＥＤ照明光源を点灯してカラー・エリアＣＣＤを照明した場合の各色フィルターのＣＣＤ出力を示す。図４において、横軸は波長［ｎｍ］、縦軸は相対出力を表す。ここで、各色フィルターのＣＣＤ出力の面積を計算し、ＲフィルターのＣＣＤ出力を１００％とした場合の各色のＣＣＤ出力は、
Ｒ-ＬＥＤ×Ｒ-ＣＣＤ＝１００％、
Ｒ-ＬＥＤ×Ｇ-ＣＣＤ＝３３％、
Ｒ-ＬＥＤ×Ｂ-ＣＣＤ＝２．５７％  ・・・（１）
となる。例えばＲ-ＬＥＤを点灯し、ＲフィルターのＣＣＤ出力が２５５ＬＳＢ（＠８ｂｉｔ）になるように露光時間を決めた場合に、ＧフィルターとＢフィルターのＣＣＤ出力は、
ＧフィルターＣＣＤ出力＝２５５×０．３３≒８４ＬＳＢ、
ＢフィルターＣＣＤ出力＝２５５×０．０２５７≒７ＬＳＢ  ・・・（２）
となる。
【００１１】
図５は、Ｇ-ＬＥＤ照明光源を点灯してカラー・エリアＣＣＤを照明した場合の各色フィルターのＣＣＤ出力を示す。図５において、横軸は波長［ｎｍ］、縦軸は相対出力を表す。各色フィルターのＣＣＤ出力の面積を計算し、ＧフィルターのＣＣＤ出力を１００％とし、２５５ＬＳＢ（＠８ｂｉｔ）となるように露光時間を決めた場合の各色のＣＣＤ出力は、
Ｇ-ＬＥＤ×Ｒ-ＣＣＤ＝９．７％    →  ≒２５ＬＳＢ相当、
Ｇ-ＬＥＤ×Ｇ-ＣＣＤ＝１００％    →  ≒２５５ＬＳＢ、
Ｇ-ＬＥＤ×Ｇ-ＣＣＤ＝４２．２％  →  ≒１０８ＬＳＢ相当  ・・・（３）
となる。
【００１２】
図６は、Ｂ-ＬＥＤ照明光源を点灯してカラー・エリアＣＣＤを照明した場合の各色フィルターのＣＣＤ出力を示す。図６において、横軸は波長［ｎｍ］、縦軸は相対出力を表す。各色フィルターのＣＣＤ出力の面積を計算し、ＢフィルターのＣＣＤ出力を１００％とし、２５５ＬＳＢ（＠８ｂｉｔ）となるように露光時間を決めた場合の各色のＣＣＤ出力は、
Ｂ-ＬＥＤ×Ｒ-ＣＣＤ＝８．４７％    →  ≒２１ＬＳＢ相当、
Ｂ-ＬＥＤ×Ｇ-ＣＣＤ＝２７％        →  ≒６９ＬＳＢ相当、
Ｂ-ＬＥＤ×Ｂ-ＣＣＤ＝１００％      →  ≒２５５ＬＳＢ  ・・・（４）
となる。
【００１３】
ところで、Ｒ、Ｇ、Ｂ３原色のＬＥＤ照明光源を同時に点灯した場合には、ＲフィルターのＣＣＤ出力はＲ-ＬＥＤによる照明分だけでなく、Ｇ-ＬＥＤとＢ-ＬＥＤによる照明分も加算される。同様に、ＧフィルターのＣＣＤ出力はＧ-ＬＥＤによる照明分だけでなく、Ｒ-ＬＥＤとＢ-ＬＥＤによる照明分も加算される。また、ＢフィルターのＣＣＤ出力はＢ-ＬＥＤによる照明分だけでなく、Ｒ-ＬＥＤとＧ-ＬＥＤによる照明分も加算される。したがって、例えばＲ-ＬＥＤの点灯時間を調節してＲフィルターのＣＣＤ出力を制御しようとしても、Ｇ-ＬＥＤやＢ-ＬＥＤの点灯時間を変えるとＲフィルターのＣＣＤ出力が変化してしまう。他色についても同様である。つまり、各色ＬＥＤの点灯時間で各色フィルターのＣＣＤ出力を制御することはできない。
【００１４】
各色ＬＥＤを順に単独に点灯して各色フィルターのＣＣＤ出力が２５５ＬＳＢ（＠８ｂｉｔ）となるように露光時間を決定し、次に全色ＬＥＤを同時に点灯すると、
ＲフィルターのＣＣＤ出力＝２５５（Ｒ-ＬＥＤによる照明分）＋２５（Ｇ-ＬＥＤによる照明分）＋２１（Ｂ-ＬＥＤによる照明分）＝３０１、
ＧフィルターのＣＣＤ出力＝８４（Ｒ-ＬＥＤによる照明分）＋２５５（Ｇ-ＬＥＤによる照明分）＋６９（Ｂ-ＬＥＤによる照明分）＝４０８、
ＢフィルターのＣＣＤ出力＝７（Ｒ-ＬＥＤによる照明分）＋１０８（Ｇ-ＬＥＤによる照明分）＋２５５（Ｂ-ＬＥＤによる照明分）＝３７０  ・・・（５）
となる。Ｒ、Ｇ、ＢフィルターのＣＣＤ出力が（２５５、２５５、２５５）となるように点灯しても（３０１、４０８、３７０）になってしまい、ホワイトバランスが崩れる上に、実際には２５５を超えた時点でアナログ出力が飽和してしまい、制御不能となる。
【００１５】
このように、カラー・エリアＣＣＤでは、Ｒ、Ｇ、Ｂ各色ＬＥＤの点灯時間を調節してもＲ、Ｇ、Ｂ各色フィルターのＣＣＤ出力が独立に変化しないので、ホワイトバランスをとることは困難である。また、各色フィルターの分光感度のすそ野が広いために、色再現上、彩度の低い、つまり濁り感の強い画像になってしまうという問題もある。
【００１６】
さらに、カラー・エリアＣＣＤでは、ネガフィルムの読み取りにおいても次のような問題がある。すなわち、ネガフィルムの場合はＲＧＢの濃度が異なり、特に青Ｂの濃度が赤Ｒ、緑Ｇに比べて高い。したがって、通常の白色光源で読み取りを行うと、ＢフィルターのＣＣＤ出力が小さくなり、画質を損ねる。そのため、従来のスキャナーでは、ネガフィルムの読み取り時には露光時間をＲ＜Ｇ＜Ｂの長さに制御し、各色フィルターのＣＣＤ出力を得ている。しかし、上述したように、あるフィルター色のＣＣＤ出力を大きくしようとしてそのフィルター色のＣＣＤの露光時間だけを長くしても、他のフィルター色のＣＣＤ出力にも影響が現れてしまう。例えばＢフィルターＣＣＤの露光時間を長くするとＧフィルターＣＣＤへの影響が大きくなり、所望の露光時間バランスで読み取りが行えないことになり、高画質のネガポジ変換が行えないことになる。
【課題を解決するための手段】
【００１７】
複数の画素が二次元状に配列され、画素ごとに赤、緑、青の３原色のうちのいずれかの色のフィルターを有する光電変換手段と、赤、緑、青の３原色の光源により読み取り原稿を照明する照明手段とを用い、照明手段の赤色光源を点灯して読み取り原稿を照明したときの光電変換手段の赤色フィルター画素の出力と、照明手段の緑色光源を点灯して読み取り原稿を照明したときの光電変換手段の緑色フィルター画素の出力と、照明手段の青色光源を点灯して読み取り原稿を照明したときの光電変換手段の青色フィルター画素の出力とを合成して１枚の画像を生成する。
【発明の効果】
【００１８】
本発明によれば、デジタルカメラなどに一般的に用いられている安価なカラー・エリアＣＣＤを用いて画質のよい画像を短時間で読み取ることができる。
【発明を実施するための最良の形態】
【００１９】
図１は一実施の形態の構成を示す。搬送機構１は透過原稿であるストリップフィルム２を搬送し、搬送制御装置３は搬送機構１を駆動してフィルム２上の任意の駒を所定の読み取り位置に設定する。面照明装置４はＲＧＢ３原色のＬＥＤ光源によりフィルム２を照明する。照明制御装置５は面照明装置４の各色ＬＥＤを駆動制御し、各色の単独発光もしくは任意の色の同時発光を行うとともに、同時発光時には各色ＬＥＤの点灯時間を個別に制御する。フィルム２を透過した光束は投影レンズ６によりカラー・エリアＣＣＤ７上に導かれ、結像する。カラー・エリアＣＣＤ７には、デジタルカメラなどに用いられているベイヤー配列の３原色カラーフィルター付きエリアＣＣＤを用いる。この種のカラー・エリアＣＣＤは安価であるため、画像入力装置を安価に構成することができる。
【００２０】
ＡＤ変換器８はＣＣＤ７のアナログ撮像信号をデジタル画像データに変換し、メモリ９はデジタル画像データを記憶する。ＣＰＵ１０は、画像データに対して各種の演算、補正、補間などの画像処理を行うとともに、搬送制御装置３と照明制御装置５を制御する。画像処理後の画像データはコンパクトフラッシュ（登録商標）カードなどのメモリカード１１に記録したり、ＵＳＢインターフェイス１２を介してパーソナルコンピューターなどの外部機器へ送られる。
【００２１】
図７は初期化処理を示すフローチャート、図８は画像読み取り処理を示すフローチャートである。ＣＰＵ１０は画像の読み取りを行う前に図７に示す初期化処理を実行する。ステップ１〜４において、面照明装置４のＲ-ＬＥＤを点灯して搬送機構１にフィルム２を装填せずに素通しでＣＣＤ２を照明し、ＣＣＤ２のＲフィルターＣＣＤ出力が所定値、例えば２５５ＬＳＢ（＠８ｂｉｔ）となるように点灯時間を調整し、ＲフィルターＣＣＤ出力が上記所定値になる時間をＲフィルターＣＣＤのホワイトバランス露光時間として記憶する。なお、ホワイトバランス露光時間を測定するためのＣＣＤ出力は上記所定値２５５ＬＳＢに限定されず、また所定値でなくても所定の範囲としてもよい。
【００２２】
次に、ステップ５〜８において、面照明装置４のＧ-ＬＥＤを点灯して搬送機構１にフィルム２を装填せずに素通しでＣＣＤ２を照明し、ＣＣＤ２のＧフィルターＣＣＤ出力が所定値、例えば２５５ＬＳＢ（＠８ｂｉｔ）となるように点灯時間を調整し、ＧフィルターＣＣＤ出力が上記所定値になる時間をＧフィルターＣＣＤのホワイトバランス露光時間として記憶する。
【００２３】
また、ステップ９〜１２において、面照明装置４のＢ-ＬＥＤを点灯して搬送機構１にフィルム２を装填せずに素通しでＣＣＤ２を照明し、ＣＣＤ２のＢフィルターＣＣＤ出力が所定値、例えば２５５ＬＳＢ（＠８ｂｉｔ）となるように点灯時間を調整し、ＢフィルターＣＣＤ出力が上記所定値になる時間をＢフィルターＣＣＤのホワイトバランス露光時間として記憶する。ステップ１３において、ＲＧＢ全色フィルターＣＣＤのホワイトバランス時間の測定を完了したら初期化処理を終了する。
【００２４】
初期化処理後、図８に示す画像読み取り処理を行う。図９はＲＧＢ各色フィルターＣＣＤによる画像読み取り手順を示す図である。図９を参照しながら、一実施の形態の画像読み取り処理を説明する。
【００２５】
ステップ２１において、搬送機構１によりフィルム２の画像読み取り駒を所定の読み取り位置に設定した後、初期化処理で記憶したＲフィルターＣＣＤのホワイトバランス露光時間だけ面照明装置４のＲ-ＬＥＤを点灯し、図９(ａ1)に示すようにＲ-ＬＥＤにより照明されたフィルム画像をＣＣＤ２で読み取る。読み取った画像はＡＤ変換器８によりデジタル画像データに変換し、メモリ９に格納する。続くステップ２２では、図９(a2)に示すように、デジタル画像データのうちのＲフィルターＣＣＤの出力データのみを採用し、ＧフィルターＣＣＤとＢフィルターＣＣＤの出力データを０に置換する。そして、ステップ２３でＲ-ＬＥＤにより照明して撮像した画像データ（図９(a2)参照）をメモリ９に一時記憶する。
【００２６】
次に、ステップ２４において、初期化処理で記憶したＧフィルターＣＣＤのホワイトバランス露光時間だけ面照明装置４のＧ-ＬＥＤを点灯し、図９(b1)に示すようにＧ-ＬＥＤにより照明されたフィルム画像をＣＣＤ２で読み取る。読み取った画像はＡＤ変換器８によりデジタル画像データに変換し、メモリ９に格納する。続くステップ２５では、図９(b2)に示すように、デジタル画像データのうちのＧフィルターＣＣＤの出力データのみを採用し、ＲフィルターＣＣＤとＢフィルターＣＣＤの出力データを０に置換する。そして、ステップ２６でＧ-ＬＥＤにより照明して撮像した画像データ（図９(b2)参照）をメモリ９に一時記憶する。
【００２７】
さらに、ステップ２７において、初期化処理で記憶したＢフィルターＣＣＤのホワイトバランス露光時間だけ面照明装置４のＢ-ＬＥＤを点灯し、図９(c1)に示すようにＢ-ＬＥＤにより照明されたフィルム画像をＣＣＤ２で読み取る。読み取った画像はＡＤ変換器８によりデジタル画像データに変換し、メモリ９に格納する。続くステップ２８では、図９(c2)に示すように、デジタル画像データのうちのＢフィルターＣＣＤの出力データのみを採用し、ＲフィルターＣＣＤとＧフィルターＣＣＤの出力データを０に置換する。そして、ステップ２９でＢ-ＬＥＤにより照明して撮像した画像データ（図９(c2)参照）をメモリ９に一時記憶する。
【００２８】
ステップ３０において、メモリ９に一時記憶したＲＧＢ３原色ＬＥＤで照明して撮像した３枚の画像データをＣＣＤ２の画素（光電変換素子）ごとに加算し、図９(ｄ)に示すように１枚の画像データに合成する。次に、ステップ３１でベイヤー補間処理を行い、図９(e)に示すように３ｃｈの画像データを作成する。その後、ステップ３２で一般的な各種の画像補正処理を行って最終画像データを作成し、ステップ３３で最終画像データをメモリカード１１に記録するとともに、ＵＳＢインターフェイス１２を介してパーソナルコンピューターなどの外部機器へ出力する。
【００２９】
このようにすれば、各色フィルターＣＣＤから同一色のＬＥＤによる照明を行った場合の受光成分のみが取り出せることになり、各色フィルターＣＣＤの分光感度のすそ野の広がりによる他色成分の影響を排除することができる。つまり、各色ＬＥＤの点灯時間を調節することによって各色フィルターＣＣＤの露光量（出力）を独立に制御することができる。
【００３０】
なお、上述した一実施の形態ではＲＧＢごとにホワイトバランス時間でフィルムの読み取りを行ったが、フィルムのベース濃度を考慮してホワイトバランス時間に所定の係数を乗じた時間で読み取りを行ってもよい。係数はＲＧＢ同一でもよいし、異なっていても構わない。例えば、ネガフィルムの場合には、Ｒは（ホワイトバランス時間）×２、Ｇは（ホワイトバランス時間）×４、Ｂは（ホワイトバランス時間）×８の読み取り時間とするのが望ましい。
【００３１】
ポジフィルムにおいては光源のホワイトバランスが正確に取れ、また色再現にしても濁りのない鮮やかな画像を得ることができる。一方、ネガフィルムにおいてもＲＧＢ各色フィルターＣＣＤの露光量（出力）を独立に制御できるので、高濃度のチャンネルにおいてもＳ／Ｎ比の良い信号が得られ、またフィルムの銘柄や撮影条件などにより濃度にばらつきがあっても高画質のネガポジ変換を行うことができる。
【００３２】
以上説明したように一実施の形態によれば、複数の画素（光電変換素子）が二次元状に配列され、画素ごとに赤、緑、青の３原色のうちのいずれかの色のフィルターを有するカラー・エリアＣＣＤ２と、赤、緑、青の３原色のＬＥＤ光源により読み取り原稿を照明する面照明装置４とを用い、面照明装置４のＲ-ＬＥＤを点灯して読み取り原稿を照明したときのＣＣＤ２のＲフィルターＣＣＤの出力と、面照明装置４のＧ-ＬＥＤを点灯して読み取り原稿を照明したときのＣＣＤ２のＧフィルターＣＣＤの出力と、面照明装置４のＢ-ＬＥＤを点灯して読み取り原稿を照明したときのＣＣＤ２のＢフィルターＣＣＤの出力とを合成して１枚の画像を生成するようにしたので、デジタルカメラなどに一般的に用いられている安価なカラー・エリアＣＣＤを用いて画質のよい画像を短時間で読み取ることができる。
【００３３】
特許請求の範囲の構成要素と一実施の形態の構成要素との対応関係は次の通りである。すなわち、カラー・エリアＣＣＤ２が光電変換手段を、面照明装置４が照明手段を、投影レンズ６が光学系を、ＣＰＵ１０が画像生成手段をそれぞれ構成する。なお、本発明の特徴的な機能を損なわない限り、各構成要素は上記構成に限定されるものではない。
【００３４】
なお、上述した一実施の形態ではＲＧＢ３原色の照明による３枚の画像データを合成してからベイヤー補間を行う例を示したが、ＲＧＢ各色の照明による３枚の画像データに対してそれぞれベイヤー補間を行ってＲＧＢ各チャンネルの画像を生成し、Ｒ-ＬＥＤ照明時のＲチャンネル、Ｇ-ＬＥＤ照明時のＧチャンネル、Ｂ-ＬＥＤ照明時のＢチャンネルのみを持ってきてＲＧＢ画像を合成してもよい。
【００３５】
また、上述した一実施の形態ではＲＧＢ３原色の照明による３枚の画像データを得る際に、ＲＧＢ各色ＬＥＤの点灯時間を調節する例を示したが、ＬＥＤの点灯時間を調節する代わりに各色フィルターＣＣＤの電荷蓄積時間を調節するようにしてもよい。
【００３６】
上述した一実施の形態では、画像読み取り前の初期化処理においてＲＧＢ３原色の照明による各色フィルターのＣＣＤ出力が同一値となるＲＧＢ各色ＬＥＤの点灯時間を計測し、各色フィルターＣＣＤのホワイトバランス露光時間として記憶しておき、画像読み取り時にＲＧＢ各色のＬＥＤをそれぞれのホワイトバランス露光時間だけ点灯してホワイトバランス処理を行う例を示したが、必ずしも画像読み取り前の初期化処理において上述したホワイトバランス処理を行う必要はなく、ＲＧＢ各色のＬＥＤを同一時間だけ順次点灯して画像読み取りを３回行い、得られた３枚の画像データに対してホワイトバランス処理を行うようにしてもよい。
【００３７】
さらに、読み取る画像の種類や画像を読み取る目的によっては、ＲＧＢの照明色を切り換えて３回の読み取り動作を行う必要がなく、ＲＧＢの照明を同時に行って１回の読み取り動作を行ってもよい場合がある。後者の１回の画像読み取りでは画質は劣るが短時間で読み取ることができ、前者の３回の画像読み取りと適宜併用することによってそれぞれの長所を生かした効果的な画像読み取りを行うことができる。
例えば、ポジ原稿の場合はＲＧＢ同時照明で１回の読み取りを行い、ネガ原稿の場合はＲＧＢ照明色を切り換えて３回の読み取りを行う。また、原稿のおおまかな解析のための予備的な読み取りはＲＧＢ同時照明で１回の読み取りを行い、色や画質を重要視する正式な本読み取りはＲＧＢ照明色を切り換えて３回の読み取りを行う。
【００３８】
上述した一実施の形態ではデジタルカメラなどに一般的に用いられている安価なカラー・エリアＣＣＤを用いる例を示したが、エリアＣＣＤと同様な分光感度を有するＲＧＢ３ラインのＣＣＤ、もしくは画素ごとにＲ、Ｇ、Ｂフィルターを有する１ラインＣＣＤを用いてもよい。すなわち、Ｒ-ＬＥＤを点灯して原稿を照明し、フィルムと光学系を相対的に１ライン分ずつ移動してラインＣＣＤのＲフィルター部で読み取り、次にＧ-ＬＥＤを点灯して原稿を照明し、フィルムと光学系を相対的に１ライン分ずつ移動してラインＣＣＤのＧフィルター部で読み取り、さらにＢ-ＬＥＤを点灯して原稿を照明し、フィルムと光学系を相対的に１ライン分ずつ移動してラインＣＣＤのＢフィルター部で読み取る。このラインＣＣＤを用いた画像の読み取りによれば、従来の装置に比べ、読み取り速度の改善はできないが、分光感度の重なりの影響を排除した高画質な画像を得ることができる。
【図面の簡単な説明】
【００３９】
【図１】一実施の形態の構成を示す図である。
【図２】ベイヤー配列型エリアＣＣＤのＲＧＢフィルターの分光感度を示す図である。
【図３】ＲＧＢ３原色のＬＥＤ照明光源の分光特性を示す図である。
【図４】Ｒ-ＬＥＤ照明光源を点灯してカラー・エリアＣＣＤを照明した場合の各色フィルターのＣＣＤ出力を示す図である。
【図５】Ｇ-ＬＥＤ照明光源を点灯してカラー・エリアＣＣＤを照明した場合の各色フィルターのＣＣＤ出力を示す図である。
【図６】Ｂ-ＬＥＤ照明光源を点灯してカラー・エリアＣＣＤを照明した場合の各色フィルターのＣＣＤ出力を示す図である。
【図７】一実施の形態の初期化処理を示すフローチャートである。
【図８】一実施の形態の画像読み取り処理を示すフローチャートである。
【図９】ＲＧＢ各色フィルターＣＣＤによる画像読み取り手順を示す図である。
【符号の説明】
【００４０】
１  搬送機構
２  フィルム
３  搬送制御装置
４  面照明装置
５  照明制御装置
６  投影レンズ
７  カラー・エリアＣＣＤ
８  ＡＤ変換器
９  メモリ
１０  ＣＰＵ
１１  メモリカード
１２  ＵＳＢ
【図１】
2006109240.tif 000003
【図２】
2006109240.tif 000004
【図３】
2006109240.tif 000005
【図４】
2006109240.tif 000006
【図５】
2006109240.tif 000007
【図６】
2006109240.tif 000008
【図７】
2006109240.tif 000009
【図８】
2006109240.tif 000010
【図９】
2006109240.tif 000011